(57)【特許請求の範囲】
【請求項１】
前面枠の裏面側に遊技盤取付枠を取付け、該遊技盤取付枠に遊技盤を着脱可能に装着するようにしたパチンコ機において、
前記遊技盤取付枠は、遊技盤の下端を支持する下部枠部と、該下部枠部の両側部より上方に門形状に形成された上部枠部とより形成され、前記上部枠部の裏面側には遊技盤の前面周縁を当接する段部が設けられ、前記段部に対向させるように先端下面をテーパー状の案内面とした弾性片により構成した係止部を設け、一方遊技盤の裏面に前記係止部の幅方向と長さを等しく形成した切欠凹部を設け、前記係止部を前記切欠き凹部に係止して遊技盤が倒れないように仮止めすると共に遊技盤を位置規制するようにしたことを特徴とするパチンコ機。
【発明の詳細な説明】
【０００１】
【産業上の利用分野】
本発明は、前面枠の裏面側に遊技盤取付枠を取付け、該遊技盤取付枠に遊技盤を着脱可能に装着するようにしたパチンコ機に関し、さらに詳しくは遊技盤を遊技盤取付枠に仮止めするようにしたパチンコ機に関するものである。
【０００２】
【従来の技術】
従来のパチンコ機にあっては、前面枠の裏面側に遊技盤取付枠を取付け、該遊技盤取付枠に遊技盤を着脱可能に装着するようにしている。また、遊技盤取付枠の一側には入賞球集合部や球タンク，景品球払出装置等の裏部品が配設された機構板が開閉自在に装着されると共に、両側部に複数の遊技盤固定部材が取付けられており、機構板を遊技盤の裏面に密着させた後、遊技盤固定部材により遊技盤を機構板と一体に遊技盤取付枠に押圧固定するように構成されている。
【０００３】
【発明が解決しようとする課題】
従来の技術で述べたパチンコ機にあっては、遊技盤の交換時や遊技盤裏面の故障時等に機構板を開成する必要があり、この際に遊技盤が倒れないようにするため遊技盤取付枠に遊技盤固定部材とは別の固定金具を取付け、該固定金具により遊技盤を遊技盤取付枠に固定するようにしていた。
【０００４】
このように従来のパチンコ機にあっては、固定金具により遊技盤を遊技盤取付枠に固定し、さらに遊技盤固定部材により遊技盤と機構板とを遊技盤取付枠に押圧固定するようにしているため、遊技盤の取付作業に手間が掛かるものであった。また、遊技盤取付枠に遊技盤固定部材と固定金具の両方を設ける必要があって部品点数が増加しコストが高くなるという問題点があった。さらに、固定金具により遊技盤を遊技盤取付枠に固定するには遊技盤が倒れないように手で支える必要があるため、固定金具の固定操作はどうしても片手で行わなければならず、その作業には困難が伴なうという問題がある。
【０００５】
本発明は、従来技術の有するこのような問題点にかんがみてなされたものであり、その目的とするところは、遊技盤取付枠に対する遊技盤の取付けを容易かつ簡略化して作業能率の向上を図ることができるようなパチンコ機を提供しようとするものである。
【０００６】
【課題を解決するための手段】
上記目的を達成するために本発明は、前面枠の裏面側に遊技盤取付枠を取付け、該遊技盤取付枠に遊技盤を着脱可能に装着するようにしたパチンコ機において、前記遊技盤取付枠の裏面側の所定個所に遊技盤の裏面に当接して該遊技盤が倒れないように仮止めする係止部を設けるようにしたものである。
【０００７】
そして、上記係止部は弾性片で形成することが好ましい。
【０００８】
【作用】
上記のように構成されたパチンコ機は、遊技盤取付枠に設けた係止部により遊技盤を遊技盤取付枠に倒れないように仮止めすることができる。このため、固定金具により遊技盤を遊技盤取付枠に固定しなくても機構板を開成することが可能となる。
【０００９】
また、固定金具により遊技盤を遊技盤取付枠に固定する場合でも遊技盤が倒れないように手で支える必要がなくなるため、遊技盤の取付けが容易となる。
【００１０】
【実施例】
以下、図面を参照して本発明の一実施例について説明する。図１は本発明の一実施例であるパチンコ機の裏面図、図２は機構板を開成して遊技盤の取付状態を示す斜視図、図３は遊技盤を遊技盤取付枠から取外した状態の斜視図である。図において、１はパチンコ機の前面枠、２は前面枠１の裏面側に取付けられた遊技盤取付枠、３は遊技盤、４は遊技盤３の裏面に装着された機構板である。
【００１１】
前記遊技盤取付枠２は、図３に示すように遊技盤３の下端を支持する下部枠部５と、該下部枠部５の両側部より上方に門形状に形成された上部枠部６とが合成樹脂により一体的に形成されている。前記上部枠部６の裏面側には遊技盤３の前面周縁を当接する段部７と該段部７に遊技盤３を位置規制して取付けるための突出部８が設けられている。また、下部枠部５および上部枠部６の裏面側の一側には機構板４の取付金具９，９がそれぞれ取付けられており、機構板４に取付けられた可動金具１０，１０を連結させることにより該機構板４を開閉自在に取付けている。
【００１２】
また、下部枠部５および上部枠部６の裏面側には機構板４を遊技盤３の裏面に密着固定させるための複数の固定部材１１が取付けられており、機構板４には該固定部材１１のフック部１１ａが挿入される透孔１２が穿設されている。そして、機構板４の裏側に回動自在に枢支された係止レバー１３の係止部１３ａを固定部材１１のフック部１１ａに係合させることにより遊技盤３と機構板４とを遊技盤取付枠２に押圧固定するようにされている。
【００１３】
しかして本発明では、上部枠部６の裏面側であり、かつ上部枠部６の上辺６ａの中央位置に遊技盤３の裏面に当接して該遊技盤３が倒れないように仮止めする係止部１４を設けている。この係止部１４は図５および図６に示すように上部枠部６の上辺６ａ下面より垂直板１４ａを段部７に対向させるように下方に向けて一体的に突出させたもので、該垂直板１４ａの両側には補強用のリブ１４１ａ，１４１ａが一体に設けられている。
【００１４】
一方、図４に示すように前記遊技盤３の裏面の中央上縁部分には垂直板１４ａを臨ませるための切欠凹部３ａが形成されている。この切欠凹部３ａは横幅Ｌが垂直板１４ａの幅方向の長さと等しく形成されている。また、遊技盤３を段部７に当接させて遊技盤取付枠２に取付けた状態で垂直板１４ａと合致するようにその形成位置が選ばれ、かつ図６に示すように該垂直板１４ａが切欠凹部３ａの奥部に当接するようにその深さが選ばれる。これにより、垂直板１４ａに遊技盤３の位置規制の用を兼用させることができる。
【００１５】
本発明は上記のような構成からなり、遊技盤３を遊技盤取付枠２に取付けるには、まず遊技盤３を若干前傾させながら該遊技盤３の切欠凹部３ａを垂直板１４ａに下方から臨ませ、しかる後に遊技盤３を遊技盤取付枠２に押し付けて該遊技盤３の前面を遊技盤取付枠２の段部７に当接させる。これにより、遊技盤３が垂直板１４ａで係止されて遊技盤取付枠２に対して倒れないように仮止めされる。したがって、機構板４を開成しても遊技盤３が倒れるようなことがないため、従来のように固定金具により遊技盤３を遊技盤取付枠２に固定する必要がなくなり部品点数を削減することができる。また、遊技盤３の取付作業を容易かつ簡略化することができる。
【００１６】
図７および図８は他の実施例を示すもので、係止部１４を弾性片１４ｂにより構成したものである。この弾性片１４ｂは先端を側断面が横Ｖ字形となるように折曲して下面をテーパー状の案内面１４１ｂとし、両側に切欠溝１４２ｂ，１４２ｂを形成して弾性を付与するようにしたものである。そして、弾性片１４ｂの先端は図８に示すように遊技盤３を遊技盤取付枠２に取付けた状態で遊技盤３の切欠凹部３ａの奥部に当接するようにその位置が選ばれる。
【００１７】
この実施例の場合、遊技盤３を遊技盤取付枠２に取付けるには遊技盤３の切欠凹部３ａの上端を弾性片１４ｂの案内面１４１ｂに当てがって該遊技盤３を弾性片１４ｂの弾性力に抗して遊技盤取付枠２に押しつける。そして、弾性片１４ｂの折曲部先端が遊技盤３の上端を通り過ぎて該遊技盤３が遊技盤取付枠２の段部７に当接すると同時に弾性片１４ｂが弾性により復帰し、折曲部先端が切欠凹部３ａの奥部に当接する。これにより、遊技盤３が弾性片１４ｂの案内面１４１ｂの先端で係止されて遊技盤取付枠２に対して倒れないように仮止めされる。この実施例では遊技盤３を遊技盤取付枠２に当てがって押しつけるだけの簡単な作業で遊技盤３を遊技盤取付枠２に仮止めすることができる。
【００１８】
【発明の効果】
以上説明したように、本発明に係るパチンコ機は、遊技盤を遊技盤取付枠に装着した状態において、機構板を開成しても遊技盤が倒れないように仮止めするようにしたものであるから、従来のように遊技盤を固定金具により遊技盤取付枠に固定する必要が全くなくなり、部品点数が削減できてコストダウンが可能となる上、遊技盤の取付作業の簡略化に役立つ。
【００１９】
また、遊技盤を固定金具により遊技盤取付枠に固定する場合であっても、従来のように遊技盤が倒れないように手で押さえている必要がないため、遊技盤取付枠に対する遊技盤の取付作業が非常に容易となる。
【図面の簡単な説明】
【図１】本発明に係るパチンコ機の裏面図である。
【図２】図１のパチンコ機の機構板を開成して遊技盤の仮止め状態を示す斜視図である。
【図３】図２の遊技盤取付枠から遊技盤を取外した状態の斜視図である。
【図４】遊技盤の裏面斜視図である。
【図５】遊技盤取付枠の係止部部分の斜視図である。
【図６】遊技盤の仮止め状態を示す断面図である。
【図７】遊技盤取付枠の係止部部分の他の実施例を示す斜視図である。
【図８】図７の係止部による遊技盤の仮止め状態を示す断面図である。
【符号の説明】
１                        前面枠
２                        遊技盤取付枠
３                        遊技盤
１４（１４ａ，１４ｂ）    係止部
【図１】
0003547495.tif 000002
【図２】
0003547495.tif 000003
【図３】
0003547495.tif 000004
【図４】
0003547495.tif 000005
【図５】
0003547495.tif 000006
【図６】
0003547495.tif 000007
【図７】
0003547495.tif 000008
【図８】
0003547495.tif 000009